(57)【要約】【課題】プリンタ機能のみの印字装置において、原稿及び記録紙の搬送パスを同一／共用とすることで安価に読み取り装置（スキャナ）を組み込み後付け可能とするとともに、コピー動作も可能とする画像形成装置の提供。【解決手段】記録紙または原稿を積載する給紙口と、画像データを記録紙上に印字する画像出力装置を有する画像形成装置において、原稿を画像データに変換する画像読み取り部１を、給紙口から給紙された記録紙または原稿が通過する経路上に付加できるようにし、給紙口から原稿を給紙した場合に、画像読み取り部１の画像データ変換動作を優先し、前記画像出力装置の印字に係る動作を行わないことを特徴とする。【選択図】        図１２
2004187138.tif 000002
【特許請求の範囲】
【請求項１】
記録紙または原稿を積載する給紙口と、画像データを記録紙上に印字する画像出力装置を有する画像形成装置において、原稿を画像データに変換する画像入力装置を、前記給紙口から給紙された記録紙または原稿が通過する経路上に付加することが可能な画像形成装置であって、
前記給紙口から原稿を給紙した場合に、画像入力装置の画像データ変換動作を優先し、前記画像出力装置の印字に係る動作を行わないことを特徴とする画像形成装置。
【発明の詳細な説明】
【０００１】
【発明の属する技術分野】
本発明は、印字装置等の画像形成装置に関する。
【０００２】
【従来の技術】
近年、印字装置等の画像形成装置にフラットベッドスキャナを接続して、コピー機能を実現している画像形成装置が開発されている。
【０００３】
公知例として、画像出力装置に画像読み取り装置の底部を嵌合させて合体させるための凹部を形成し、画像読み取り装置の底部をその凹部に適合する形状に形成したものが開示されている（例えば、特許文献１参照。）。
【０００４】
【特許文献１】
特開平１１−４１３９２号公報（第１頁、図１）
【０００５】
【発明が解決しようとする課題】
然しながら、従来例の印字装置等の画像形成装置の場合、フラットベッドスキャナを接続した場合に、フラットベッドスキャナを設置するスペースが問題となり、印字装置等の上にフラットベッドスキャナを載置可能な設置台を配置し、占有スペースを広げないようにしている。しかしこのような設置台を設ける事によりコストが高くなってしまう問題が発生している。
【０００６】
また、特許文献１の場合では、据付面積は変らなくても据付容積が拡大するという問題がある。
【０００７】
本発明は、上述の点に着目して成されたもので、プリンタ機能のみの印字装置において、原稿及び記録紙の搬送パスを同一／共用とすることで安価に読み取り装置（スキャナ）を組み込み後付け可能とするとともに、コピー動作も可能とする画像形成装置を提供することを目的とする。
【０００８】
【課題を解決するための手段】
本発明は、下記構成を備えることにより上記課題を解決できるものである。
【０００９】
（１）記録紙または原稿を積載する給紙口と、画像データを記録紙上に印字する画像出力装置を有する画像形成装置において、原稿を画像データに変換する画像入力装置を、前記給紙口から給紙された記録紙または原稿が通過する経路上に付加することが可能な画像形成装置であって、
前記給紙口から原稿を給紙した場合に、画像入力装置の画像データ変換動作を優先し、前記画像出力装置の印字に係る動作を行わないことを特徴とする画像形成装置。
【００１０】
（２）記録紙または原稿を積載する給紙口と、画像データを記録紙上に印字する画像出力装置を有する画像形成装置において、原稿を画像データに変換する画像入力装置を、前記給紙口から給紙された記録紙または原稿が通過する経路上に付加することが可能な画像形成装置であって、
前記給紙口から記録紙を給紙した場合に、前記画像出力装置の印字に係る動作を優先し、前記画像入力装置の画像読み込みに係る動作を行わないことを特徴とする画像形成装置。
【００１１】
（３）前項（１）または（２）記載の画像形成装置において、画像を蓄積する手段を有し、前記給紙口から給紙される原稿を画像データに変換する画像入力装置において、画像を読み取り、前記画像を蓄積し、蓄積された画像を前記給紙口から給紙された記録紙に印字することにより複写動作を行うことを特徴とする画像形成装置。
【００１２】
（４）前項（１）または（２）記載の画像形成装置において、シート後処理手段を接続し、前記シート後処理手段において、前記原稿または記録紙をシート後処理することを特徴とする画像形成装置。
【００１３】
（５）前項（１）または（２）記載の画像形成装置において、少なくとも２以上複数の給紙口を有し、少なくとも１つの給紙口に原稿を積載することを特徴とする画像形成装置。
【００１４】
（６）前項（１）または（２）記載の画像形成装置において、操作設定する手段を有し、給紙口に積載されている原稿または記録紙の種類を設定可能とすることを特徴とする画像形成装置。
【００１５】
（７）前項（４）記載の画像形成装置において、シート後処理手段は、ステイプル、パンチ、中綴じの何れかの機能を備えることを特徴とする画像形成装置。
【００１６】
（８）前項（４）または（６）記載の画像形成装置において、シート後処理手段の設定操作を行う場合に、原稿のみをシート後処理する設定が可能であることを特徴とする画像形成装置。
【００１７】
（９）記録紙または原稿を積載する給紙口と、画像データを記録紙上に印字する画像出力装置を有する画像形成装置において、原稿を画像データに変換する画像入力装置を、前記給紙口から給紙された記録紙または原稿が通過する経路上に付加することが可能な画像形成装置の制御方法であって、
▲１▼前記給紙口から原稿を給紙した場合には、画像入力装置の画像データ変換動作を優先して前記画像出力装置の印字に係る動作を行わず、▲２▼前記給紙口から記録紙を給紙した場合には、前記画像出力装置の印字に係る動作を優先して前記画像入力装置の画像読み込みに係る動作を行わず、▲３▼複数の給紙口の中で少なくとも１つの給紙口に原稿を積載し、▲４▼原稿または記録紙のどちらにもステイプル、パンチ、中綴じ等のシート後処理を可能とし、▲５▼給紙口に積載されている原稿または記録紙の種類を操作設定手段で設定可能とし、更に▲６▼原稿のみのシート後処理設定も可能な画像形成装置の制御方法。
【００１８】
即ち、本発明では、印字装置内に組み込み装着可能な読み取り手段を提供し、印字装置の記録紙の搬送経路を利用して原稿を搬送することにより、原稿の搬送手段や、フラットベッドスキャナの移動光学ユニットを設けること無く、設置占有面積は従来と同じであり、容積的にも殆ど変らずに、安価にコピー機能を実現し得る画像形成装置としての印字装置を提供出来る。
【００１９】
【発明の実施の形態】
図１は、本実施例の要部構成を示す画像形成装置としての印字装置の模式的断面図であり、リーダ部（光学ユニット）１およびプリンタ部（画像記録部）２の構成を示す断面図である。以下、構成および動作について説明する。
【００２０】
本構成では、プリンタ部２に光学ユニット１を接続することにより、コピー機能が実現できる。また、プリンタ部２とインターフェイス部６とフォーマッタ部７を接続することによりＰＤＬプリンタとして機能することが出来る。
【００２１】
光学ユニット１とプリンタ部２とインターフェイス部６、フォーマッタ部７を接続することにより、コピー、ＰＤＬプリンタ機能の双方を実現することが出来る。なお、プリンタ機能としてはＰＤＬプリンタに限るものではなく、ホスト側で印刷イメージを生成するホストベースプリンタ等、他の機能を有するプリンタでもよい。
【００２２】
＜リーダ部（光学ユニット）１の説明＞
転写紙積載部２０４には、後述する操作部１２３の設定に従い原稿が積載されていると設定され、原稿が積載されると認識される。転写紙積載部２０４に積載された原稿は、給紙パス２５０を通り１枚づつ順次光学ユニット１に搬送される。
【００２３】
給紙パス２５０を通過中に光学ユニット１の原稿照明ランプ１０３が点灯される。原稿の反射光は、ミラー１０５、１０６、レンズ１０７を介してＣＣＤイメージ・センサー部１０８（以下ＣＣＤと称する）に入力される。
【００２４】
図２は、リーダ部（光学ユニット）１の信号処理の回路構成を示すブロック図である。以下、構成および動作について説明する。
【００２５】
ＣＣＤ１０８に照射された原稿の反射光は、ここで光電変換され、レッド、グリーン、ブルーの各色の電気信号に変換される。ＣＣＤ１０８からのカラー情報は、次の増幅器１１０Ｒ，１１０Ｇ，１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤの感度ムラが補正される。シェーディング回路１１２からの信号は、Ｙ信号生成・色検出回路１１３及び外部Ｉ／Ｆ切り替え回路に入力される。
【００２６】
Ｙ信号生成・色検出回路１１３は、シェーディング回路１１２からの信号を下記の式で演算を行いＹ信号を生成する。
Ｙ＝０．３Ｒ＋０．６Ｇ＋０．１Ｂ
【００２７】
さらに、Ｒ，Ｇ，Ｂの信号から７つの色に分離し、各色に対する信号を出力する色検出回路を有する。Ｙ信号生成・色検出回路１１３からの出力信号は、変倍・リピート回路１１４に入力される。スキャナーユニット１０４の走査スピードにより副走査方向の変倍を、変倍・リピート回路１１４により主走査方向の変倍を行う。また変倍・リピート回路１１４により複数の同一画像を出力することが可能である。輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。
【００２８】
マーカエリア判定・輪郭生成回路１１６は、原稿上の指定された色のマーカペンで書かれた部分を読み取り、マーカの輪郭情報を生成し、つぎのパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【００２９】
パターン化・太らせ・マスキング・トリミング回路１１７からの出力信号は、画像メモリ１２０に蓄積される。
【００３０】
リーダ部（光学ユニット）１により読み取られた後、原稿は、後述するプリンタ部（画像記録部）２において、転写部２０６で転写されること無く、定着部２０７で定着されることなく排紙部２７０に搬送される。
【００３１】
前記読み取られた原稿は、後述する操作部１２３の設定方法に従い指定された排紙トレーに排紙される。
【００３２】
今、原稿排紙トレー２１３が設定されているとすると、排紙口２１２を通り、原稿は原稿排紙トレー２１３に排紙される。
【００３３】
次に両面原稿を読み取る場合について説明する。
【００３４】
原稿を一度、排紙部２７０まで搬送後、用紙の搬送向きを反転して搬送方向切り替え部材２４２を介して再給紙用被転写紙積載部２１０に搬送する。再給紙用被転写紙積載部２１０に搬送された原稿は、給紙パス２５０に再送されるので、結局、原稿の表面、裏面の原稿画像を読み取ることが出来る。
【００３５】
尚、排紙部２１０は再給紙用被転写紙積載部としても機能するものである。
【００３６】
＜画像メモリ１２０の説明＞
図３は、画像メモリ１２０に係る構成例を示すブロック図である。
【００３７】
以下、図３を用いて画像メモリ１２０に関して説明する。
【００３８】
インターフェイス部６は、コネクタ１２１と通じて接続され、フォーマッタ部７はコネクタ１３０を通じて接続されている。
【００３９】
リーダ部（光学ユニットからなる画像読み取り部）１はコネクタ１３１を通じて接続され、リーダ部（光学ユニット）１にて形成された画像は、画像データセレクタ回路１１８により送られた画像データをＣＰＵ１２２の指示により画像メモリ１２０の指定位置に後述する方法で、記憶及び読み出しを行い、回転処理や、画像をメモリ上で合成する等の動作を行っている。
【００４０】
インターフェイス部６から入力されたＰＤＬデータをフォーマッタ部７においてラスター画像として展開したＰＤＬ画像も画像メモリ１２０に記憶及び読み出しを行う。
【００４１】
ＣＰＵ１２２は、リーダ部１を制御するもので、制御プログラム、エラー処理プログラムなどを記憶するＲＯＭ１２４と各種プログラムのワークエリアなどのために利用されるＲＡＭ１２５と、各種タイマー制御部等から構成される。
【００４２】
画像メモリ１２０からプリンタ部２に出力する場合は、画像データセレクタ回路１１８により選択され、レーザードライバ１１９に入力され、各種処理された信号をレーザを駆動するための信号に変換する。レーザードライバ１１９の出力信号は、プリンタ部２に入力され、可視像として画像形成が行われる。
【００４３】
＜操作部１２３の説明＞
操作部１２３は、リーダ部１の画像処理に対する画像編集内容、コピー枚数等の画像動作を指示する各種キー群と、操作時の内容を表示する表示部等を有している。
【００４４】
図４は、本実施例における操作部１２３の詳細を示す正面図である。この操作部１２３には、各種キーと、液晶表示装置からなるドットマトリックスで構成される液晶表示部４３８とが配置されている。
【００４５】
液晶表示部４３８は、装置の状態、コピー枚数、倍率、選択用紙及び各種操作画面を表示し、コントロールキーにより操作される。
【００４６】
また、スタートキー４０３は、コピーをスタートする為のキーであり、リセットキー４０２は設定モードを標準状態に復帰するためのキーである。またキー群４０５は、コピー枚数、ズーム倍率等を入力させる０〜９までのテンキー及びその入力をクリアするためのクリアキーである。濃度選択キー４０７は濃度をアップダウンするためのキーであり、これにより調整される濃度は、液晶表示部４３８に表示される。濃度自動キー４３７は自動濃度調整機能をＯＮ／ＯＦＦするためのキーとその表示部であり、また原稿選択キー４１８は原稿の積載されているカセットを選択するためのキーで、用紙選択キー４３６は給紙段及びオート用紙選択を選択・設定するキーでこの選択状態は、液晶表示部４３８に表示される。
【００４７】
倍率選択キー４１０はそれぞれ等倍、定形縮小／拡大を設定するキーである。選択された倍率は液晶表示部４３８にも表示される。
【００４８】
４４０は、ユーザーが個別に設定を可能にするユーザーモードキーであり、このユーザーモードキー４４０を押下することにより、後述する用紙種類の設定を行う。
【００４９】
図５は、画像の記憶方法及び読み出し方法の説明図である。
【００５０】
図６は、画像メモリの説明図である。
【００５１】
図５、図６を用いて画像の記憶方法、読み出し方法について説明する。
【００５２】
図５（１）は、画像メモリの１つの記憶容量を示したもので、本実施例では、Ａ３サイズの記憶ができるもので、縦４６６１ｘ横６５９６ビットで構成される。この記憶領域が図６に示す様に画像レイアウト領域（レイアウトメモリ）１つの画像記憶領域として、１００枚分（蓄積メモリ１００）の画像が記憶できる様に構成されている。図５（２）は原稿画像を画像メモリに記憶する場合の例を示したものである。図中（２ａ）のように載置された原稿は、図に示す様に矢印の方向に順次読み込まれ、先ず、１ライン目が読み込まれると、（２ｂ）に示されるように（０、０）アドレスをスタート位置にＸ方向のカウントアップ、Ｙ方向のカウントアップに指定して、先ず１ライン目が読み込まれるとＹ方向のカウンタが（０、４６６１）方向に順に書き込まれる。次に２ライン目が読み込まれると、Ｘ方向のカウンタがアップされ（１、０）アドレスから（１、４６６１）アドレス方向に順に書き込まれる。次に３ライン目が読み込まれると、Ｘ方向のカウンタがアップされ（２、０）アドレスから（２、４６６１）アドレスまで書き込まれる。この様に読み込み、書き込みを繰り返して（３２９７、４６６１）まで書き込まれる。
【００５３】
次に（２）を用いてメモリに書き込まれた画像データを読み出す処理を（３）（４）を用いて説明する。（３）で記憶されたデータは、（３ａ）に示す様に、先ず１ライン目は、（３２９７、０）アドレスをスタート位置に、Ｘカウンタを順にカウントダウン、Ｙ方向のカウンタをアップに指定して（０、０）方向にＸカウンタを順にダウンしながら読み出す。次にＹカウンタをアップさせ、２ライン目の読み出しが行われ、（３２９７、１）アドレスから（０、１）の方向に読み出し、順次このように読み出す事により（３ｂ）の画像を読み出すことができる。
【００５４】
（４）では記憶されたデータは、（４ｂ）に示す様に、先ず１ライン目は（０、０）のアドレスをスタート位置にし、Ｘ方向のカウンタをアップ、Ｙ方向のカウンタをダウンに指定して（０、４６６１）の方向にＹカウンタを順次アップしながら読み出す。次にＸカウンタをアップさせ、２ライン目の読み出しが行われ、（１、０）アドレスから（１、４６６１）方向に読み出し、順次この様に読み出すことにより、（４ｂ）の読み出しを行うことができる。従って、（２ａ）に示すＡ４幅の原稿を（３）の方向で読み出すことで画像を回転しないで読み出すことができる。
【００５５】
次に画像レイアウトメモリについて説明する。前述したように（５ａ）（５ｂ）のような個々に記憶された画像を読み出し、画像レイアウトメモリの所望の位置に画像を書き込むことにより（５ｃ）に示すように別々の原稿画像をメモリ上で合成することができる。
【００５６】
＜プリンタ部２の説明＞
図７は、図１の基本構成に、フィニッシャ３と転写紙積載部２９０、２９１が追加された構成を示す模式的断面図である。
【００５７】
図７を参照しながらプリンタ部２の構成および動作について説明する。
【００５８】
プリンタ部２に入力された画像信号は、露光ユニット２０１にて変調された光信号に変換されて感光体２０２を照射する。照射光によって感光体２０２上に作られた潜像は現像器２０３によって現像される。上記現像像の先端とタイミングを合わせて記録紙に指定されている転写紙積載部２０５より転写紙が搬送され、転写部２０６において、上記現像された像が転写される。転写された像は定着部２０７にて転写紙に定着された後、排紙部２１０／２１１／２１２のいずれかに排紙を行う。排紙部２１０に排紙する場合、排紙部制御部材（搬送方向切替え部材）２４０を排紙部２１０と逆の方向に傾けることにより２１０に排紙を行う。又、排紙部２１１に排紙を行う場合、排紙部制御部材２４１を排紙部２１１とは逆の方向に傾けることにより排紙部２１１での通紙を可能とする。又排紙部２１２に排紙を行う場合は、排紙部制御部材２４１を２１１の方向に傾けることにより、排紙部２１２に排紙を行う。排紙部２１２から排紙された転写紙は、フィニッシャ３に引き渡され、パンチユニット３０１を通り、パンチ機能が働いている場合は、パンチされ、ステイプルユニット３０２に渡され、ステイプルする場合は、ステイプルされる。ステイプルユニット３０２を通過した記録紙は、フィニッシャ３の排紙積載トレー３０５に排出される。
【００５９】
転写紙に原稿が積載されていた場合は、ＣＰＵ１２２がプリンタ部２に対して原稿である旨を通知する。プリンタ部２は、露光ユニット２０１を動作させず、感光体２０２上に画像を形成せず、転写部２０６で転写を行わず、定着部２０７でも定着せずに、指定された排紙トレーに排出する。
【００６０】
続いて、順次読み込む画像を１枚の出力用紙の両面に出力する方法について説明する。
【００６１】
定着部２０７で定着された出力用紙を、一度、排紙部２１０まで搬送後、用紙の搬送向きを反転して搬送方向切り替え部材２４２を介して再給紙用被転写紙積載部として機能する排紙部２１０に搬送する。次の原稿が準備されると、上記プロセスと同様にして原稿画像が読み取られるが、転写紙については再給紙用被転写紙積載部として機能する排紙部２１０より給紙されるので、結局、同一出力紙の表面、裏面に２枚の原稿画像を出力することができる。
【００６２】
次に、図８（ａ）〜図８（ｅ）に従い、転写紙積載部の原稿、印字用紙の種類の設定方法について説明する。尚、図８は、原稿カセット設定のための説明図である。
【００６３】
転写紙積載部２０４にＡ４サイズ原稿、転写紙積載部２０５にＡ４サイズ記録紙、転写紙積載部２９０にＡ４サイズ、転写紙積載部２９１にＡ４サイズの記録紙が格納されているとする。
【００６４】
ユーザーモードキー４４０を押下すると、液晶表示部４３８に図８（ａ）に示される操作画面が表示される。
【００６５】
キー８０１は、機械の動作に対し共通に設定を行うキーで、共通機能設定キーである。キー８０２は、コピー機能に対し設定するコピーモード設定キーで、オート回転のＯＮ／ＯＦＦなどを設定する。キー８０３は、調整クリーニングに対するキーであり、ズームの調整などを設定する。キー８０４はタイマーに関するキーでこのタイマー設定キーを押下することで、日付時刻などを設定することができる。
【００６６】
共通機能設定キー８０１を押下すると、図８（ｂ）に示される操作画面が表示される。８０５はカセットオートの選択キーである。８０６は原稿もしくは印字用紙の種類を設定するカセット設定キーであり、これを押下すると、図８（ｃ）に示される操作画面が表示される。この８０８〜８１１のキーを選択し、８０８〜８１１を押下し、後述する設定を行うことで、各々の転写紙積載部に対する設定を行うことができる。
【００６７】
原稿もしくは印字記録紙を選択する操作画面図８（ｄ）が表示される。この画面上８１２が原稿であり、８１３が印字記録紙である。今転写紙積載部２０４には原稿が積載されているため８１２を選択する。
【００６８】
次に、操作画面図８（ｂ）において、キー８０７を押下した場合は、まず転写紙積載部の選択を行い、この後、紙種類（用紙タイプ）の選択を行う。この画面上、今転写紙積載部２０４を、原稿、普通紙に設定する。キー８０９を押下すると、操作画面図８（ｅ）が表示される。（ｅ）には紙種キーが表示されている。
【００６９】
８１４は普通紙、８１５は色紙、８１６はラベル紙、８１７は再生紙、８１８はパンチ紙、８１９は第二原図、８２０は厚紙、８２１はＯＨＰ紙、８２２はレターヘッドである。今、普通紙であるので、キー８１４を押下することで、印刷用紙の普通紙と設定することができた。
【００７０】
図８（ｆ）に示すのは、排紙トレーの設定であり、排紙部２１２に対応するのがトレーＡであり、排紙部２１０に対応するのがトレーＢであり、排紙部２１１に対応するのがトレーＣであり、今この設定では、原稿はトレーＣ、コピーモードはトレーＢ、プリントはトレーＡとトレーＢに出力する設定となっている。出力トレーを変更する場合は、８３０〜８３８の各々のキーを押下することにより設定することができる。
【００７１】
＜インターフェイス部６の説明＞
図９は、インターフェイス部６の構成を示すブロック図である。
【００７２】
以下、インターフェイス部６について図９を用いて説明する。
【００７３】
コネクタＡ９００及びコネクタＢ９０１は、ＳＣＳＩインターフェイス用のコネクタである。コネクタＣ９０２は、セントロニクスインターフェイス用コネクタである。コネクタＤ９０３は、ＲＳ２３２Ｃインターフェイス用コネクタである。コネクタＥ９０７は、画像／データセレクタ部１１８に接続するためのコネクタである。
【００７４】
ＳＣＳＩインターフェイスは、２つのコネクタ（コネクタＡ９００、コネクタＢ９０１）を有し、複数のＳＣＳＩインターフェイスを有する機器を接続する場合には、コネクタＡ９００、コネクタＢ９０１を用いてカスケード接続する。また、コンピュータを１対１で接続する場合には、コネクタＡ９００とコンピュータをケーブルで接続し、コネクタＢ９０１にはターミネイタを接続するか、コネクタＢ９０１とコンピュータをケーブルで接続し、コネクタＡ９００にターミネイタを接続する。コネクタＡ９００またはコネクタＢ９０１から入力される情報は、信号ライン９５１を介してＳＣＳＩ・Ｉ／Ｆ−Ａ９０４または、ＳＣＳＩ・Ｉ／ＦーＢ９０８に入力される。ＳＣＳＩ・Ｉ／ＦーＡ９０４または、ＳＣＳＩ・Ｉ／ＦーＢ９０８は、ＳＣＳＩのプロトコルによる手続きを行ったのち、データを信号ライン９５４を介してコネクタＥ９０７に出力する。コネクタＥ９０７は、画像データセレクタ回路１１８のコネクタ１２１に接続され、ＣＰＵ１２２は、ＳＣＳＩ・Ｉ／Ｆ用コネクタ（コネクタＡ９００、コネクタＢ９０１）に入力された情報を受け取る。ＣＰＵ１２２からのデータをＳＣＳＩ・コネクタ（コネクタＡ９００、コネクタＢ９０１）に出力する場合は、上記と逆の手順によって行う。
【００７５】
セントロニクスインターフェイスは、コネクタＣ９０２に接続され、信号ライン９５２を介してセントロニクスＩ／Ｆ９０５に入力される。セントロニクスＩ／Ｆ９０５は、決められたプロトコルの手順によりデータの受信を行い、信号ライン９５４を介してコネクタＥ９０７に出力する。コネクタＥ９０７は、画像データセレクタ回路１１８のコネクタ１２１に接続され、ＣＰＵ１２２は、セントロニクスＩ／Ｆ用コネクタ（コネクタＣ９０２）に入力された情報を受け取る。
【００７６】
ＲＳ２３２Ｃインターフェイスは、コネクタＤ９０３に接続され、信号ライン９５３を介してＲＳ２３２Ｃ・Ｉ／Ｆ９０６に入力される。ＲＳ２３２Ｃ・Ｉ／Ｆ９０６は決められたプロトコルの手順によりデータの受信を行い、信号ライン９５４を介してコネクタＥ９０７に出力する。コネクタＥ９０７は、ＣＰＵ１２２は、ＲＳ２３２Ｃ・Ｉ／Ｆ用コネクタ（コネクタＤ９０３）に入力された情報を受け取る。リーダ部１のＣＰＵ１２２からのデータをＲＳ２３２Ｃ・Ｉ／Ｆ用コネクタ（コネクタＤ９０３）に出力する場合は、上記と逆の手順によって行う。
【００７７】
ネットワークインターフェイスは、コネクタＦ９９０に接続され、信号ライン９９１を介してネットワークＩ／Ｆ９９２に入力される。ＴＣＰ−ＩＰ  Ｉ／Ｆ９９２は決められたプロトコルの手順によりデータの受信を行い、信号ライン９５４を介してコネクタＥ９０７に出力する。コネクタＥ９０７は、画像データセレクタ回路１１８のコネクタ１２１に接続され、ＣＰＵ１２２は、ネットワーク・Ｉ／Ｆ用コネクタ（コネクタＦ９９０）に入力された情報を受け取る。ＣＰＵ１２２からのデータをネットワーク・Ｉ／Ｆ用コネクタ（コネクタＦ９９０）に出力する場合は、上記と逆の手順によって行う。
【００７８】
＜フォーマッタ部７の説明＞
図１０は、フォーマッタ部７の構成を示すブロック図である。本図を用いてフォーマッタ部７の構成と動作を説明する。
【００７９】
先に説明したコンピュータ・インターフェイス部７からのデータは、ＣＰＵ１２２で判別され、フォーマッタ部７に関するデータである場合には、ＣＰＵ１２２は、画像データセレクタ回路１１８のコネクタ１３０及びフォーマッタ部７のコネクタ１０００を介してコンピュータからのデータをデュアルポートメモリ１００３に転送する。フォーマッタ部７のＣＰＵ１００９は、デュアルポートメモリ１００３を介してコンピュータから送られて来たコードデータを受け取る。ＣＰＵ１００９は、このコードデータを順次イメージデータに展開し、メモリコントローラ１００８を介してメモリＡ１００６、またはメモリ１００７にイメージデータを転送する。メモリＡ１００６及びメモリＢ１００７は、各１Ｍｂｙｔｅｓの容量を持ち、１つのメモリ（メモリＡ１００６、または、メモリＢ１００７）で３００ｄｐｉの解像度でＡ４の用紙サイズまで対応可能である。３００ｄｐｉの解像度でＡ３用紙まで対応する場合には、メモリＡ１００６とメモリＢ１００７をカスケード接続してイメージデータを展開する。上記のメモリの制御は、ＣＰＵ１００９からの指示によりメモリコントローラ１００８によって行われる。
【００８０】
また、イメージデータの展開の際、文字や図形などの回転が必要な場合には、回転回路１００４にて回転したのちメモリＡ１００６または、メモリＢ１００７に転送する。メモリＡ１００６またはメモリＢ１００７にイメージデータの展開が終了すると、ＣＰＵ１００９は、メモリコントローラ１００８を制御し、メモリＡ１００６のデータバスライン１０５８または、メモリＢ１００７のデータバスライン１０５９をメモリコントローラ１００８の出力ライン１０５５に接続する。次にＣＰＵ１００９は、デュアルポートメモリ１００３を介しＣＰＵ１２２と通信を行いメモリＡ１００６または、メモリＢ１００７から画像情報を出力するモードに設定する。
【００８１】
プリント出力モードが設定されると、ＣＰＵ１２２は、コネクタ１２１、及びフォーマッタ部７のコネクタ１０００を介してタイミング生成回路１００２に起動をかける。タイミング生成回路１００２は、リーダ部１からの信号に応じてメモリコントローラ１００８にメモリＡ１００６またはメモリＢ１００７から画像情報を読みだす為のタイミング信号を発生する。メモリＡ１００６または、メモリＢ１００７からの画像情報は、信号ライン１０５８、または１０５９を介しメモリコントローラ１００８に入力される。メモリコントローラ１００８からの出力画像情報は、信号ライン１０５１及びコネクタ１０００を介して画像データセレクタ回路１１８に転送される。これ以後は、画像データセレクタ回路１１８で、バスの選択または、画像合成が行われ、プリンタ部２または、画像メモリ１２０へ送られる。
【００８２】
次に、本印字装置を用いてのコピー動作を図１２のフローチャートに基いて説明する。
【００８３】
（実施例１）
尚、図１２は、実施例１におけるコピー動作を示すフローチャートで、印刷部数１の場合のフローチャートである。尚、図１１は、コピー設定時の説明図である。
【００８４】
今、ステップＳ１２０１において、転写紙積載部のいずれにも原稿設定がされていないとする。この場合に操作部１２３は図１１（ａ）を表示し、コピーすることが出来ない。図８（ｄ）に従い転写紙積載部２０４（以下カセット１と呼ぶ）を原稿に設定すると、ステップＳ１２０２に進み、図１１（ｂ）を表示し、コピーすることが可能となる。
【００８５】
今、原稿が２枚カセット１に、記録紙が１枚カセット２に積載されていたとする。スタートキーが入力されると、ステップＳ１２０４に進み、原稿がカセットに積載されているかを判断する。原稿は２枚積載されているので、ステップＳ１２０６に進み、プリンタ部２に原稿である旨を通知する。続いてステップＳ１２０７に進み、プリンタ部２に原稿の給紙を掛けるともに、リーダ部（光学ユニット）１に読み取り準備を指示する。原稿が給紙され給紙パス２５０上を進み、リーダ部１に設置された記録紙先端センサー１１０を通過する。センサー１１０を通過後、所定時間経過の後ステップＳ１２０８に進み、リーダ部１で画像を読み込む。続いて原稿は、給紙パス２５０上を進み、紙録紙後端センサー２４３がＯＦＦになるまで、印字動作を行わない。続いてステップＳ１２０９に進み、ユーザーモードにて、設定された排紙トレーに原稿を排出して、読み込みを終了する。
【００８６】
続いてステップＳ１２１１に進み、印字する記録紙が存在するかを判断する。今、印字用用紙が１枚だけ存在するためステップＳ１２１３に進み、プリンタ部２に画像印字を通知し、リーダ部１に印字用紙の印刷であることを通知する。その後ステップＳ１２１４に進み、プリンタ部２は印字用紙をカセット２から給紙し、ステップＳ１２１５で画像メモリ１２０に蓄積されている画像の印刷を行い、ステップＳ１２１６に進み、排紙トレーＡに排出する。次に、ステップＳ１２１７に進み、原稿があるかを判断する。
【００８７】
原稿がもう一枚カセット１に存在するためステップＳ１２０６に戻り、Ｓ１２０６〜Ｓ１２０９を行い、原稿を読み取り排紙する。続いて印刷を開始する。
【００８８】
ステップＳ１２１１において、印刷用の用紙があるか判断し、カセット２には記録紙なしになっているため、ステップＳ１２１２に進み、操作部１２３に紙なし表示を行い、印刷を停止する。
【００８９】
印刷用紙がカセット２に積載されると、ステップＳ１２１３〜Ｓ１２１６に進み、印刷／排紙を完了する。続いてステップＳ１２１７に進み、原稿があるかを判断する。今原稿がカセット１には無いため印刷を終了する。
【００９０】
（実施例２）
続いて、実施例２におけるコピー部数が２の場合について図１３のコピー動作を示すフローチャートに基づいて説明する。
【００９１】
今、ステップＳ１３０１において、転写紙積載部のいずれにも原稿設定がされていないとする。この場合に操作部１２３は図１１（ａ）を表示し、コピーすることが出来ない。図８（ｄ）に従い転写紙積載部２０５（以下カセット１と呼ぶ）を原稿に設定すると、ステップＳ１３０２に進み、図１１（ｂ）を表示し、コピーすることが可能となる。
【００９２】
今、原稿が２枚カセット１に、記録紙が１枚カセット２に積載されていたとする。スタートキーが入力されると、ステップＳ１３０４に進み、原稿がカセットに積載されているかを判断する。原稿は２枚積載されているので、ステップＳ１３０６に進み、プリンタ部２に原稿である旨を通知する。続いてステップＳ１３０７に進み、プリンタ部２に原稿の給紙を掛けるともに、リーダ部１に読み取り準備を指示する。原稿が給紙され給紙パス２５０上を進み、リーダ部１に設置された記録紙先端センサー１１０を通過する。センサー１１０通過後、所定時間経過の後、ステップＳ１３０８に進み、リーダ部１で画像を読み込む。続いて原稿は、給紙パス２５０上を進み、記録紙後端センサー２４３がＯＦＦになるまで、印字動作を行わない。続いてステップＳ１３０９に進み、ユーザーモードにて、設定された排紙トレーに原稿を排出して、読み込みを終了する。
【００９３】
続いてステップＳ１３１０に進み、原稿があるかを判断する。今、原稿が１枚残っているので、ステップＳ１３０６に戻り、ステップＳ１３０９まで処理し、原稿を読み取り排出する。ステップＳ１３１０に進むと原稿がないため、ステップＳ１３１１に進み、印字する記録紙が存在するかを判断する。今、印字用用紙が１枚だけ存在するためステップＳ１３１３に進み、プリンタ部２に画像印字を通知し、リーダ部１に印字用紙の印刷であることを通知する。その後ステップＳ１３１４に進み、プリンタ部２は印字用紙をカセット２から給紙し、画像メモリ１２０に蓄積されている画像の印刷を行い（Ｓ１３１５）、ステップＳ１３１６に進み、排紙トレーＡに排出する。次に、ステップＳ１３１７に進み、指定印刷部数を出力したかを判断する。今は１ページしか排出していないため、再度ステップＳ１３１１に戻る。記録紙があるかを判断し、記録紙が無いためステップＳ１３１２に進み、記録紙なしを表示する。記録紙が入れられると、ステップＳ１３１１からステップＳ１３１５を行う。印刷ページ数分を出力終了するまで、ステップＳ１３１１〜ステップＳ１３１５を行い、印刷が終了すると（Ｓ１３１７）、コピー動作を終了する。
【００９４】
（実施例３）
実施例３として、フィニッシャを接続した場合の動作手順を図１４のフローチャートに基づいて説明する。尚、図１５は、フィニッシャにおけるステイプル設定時の説明図である。
【００９５】
フィニッシャを接続した場合は、図１５（ａ）に示すソートキー１５０１が表示される。ソートキー１５０１を押下すると、図１５（ｂ）を表示し、フィニッシャを動作させるためのソートキー１５０２、パンチキー１５０３、ステイプルキー１５０４が表示される。キー１５０５は、原稿をフィニッシングするための原稿処理キーであり、キー１５０６は、原稿のみをフィニッシング指定するためのキーである。
【００９６】
今、原稿が２枚カセット１に、記録紙が４枚カセット２に積載され、原稿処理キー１５０５が押下され、コピー部数が２の状態でコピー動作を開始する。
【００９７】
先ず、ステップＳ１４０１で、フィニッシングが設定されているかを判断する。今、フィニッシング処理が設定されていない場合、ステップＳ１４０３に進み、カセット１から原稿を読み込む。このステップＳ１４０３は、図１３のフローチャートにおけるステップＳ１３０６〜ステップＳ１３０９までの処理を原稿枚数分繰り返す処理である。続いてステップＳ１４０４に進み、印刷処理を行う。このステップＳ１４０４は、図１３のフローチャートにおけるステップＳ１３１１〜ステップＳ１３１５までを出力枚数分だけ繰り返す処理である。この処理が終了すると、この動作を終了する。フィニッシング処理が設定されている場合は、ステップＳ１４０２に進み、原稿をフィニッシング処理するか否かを判断する。
【００９８】
原稿をフィニッシング処理しない場合は、ステップＳ１４０５に進み、原稿排紙トレーがフィニッシャか否かを判断する。今、フィニッシャに原稿排紙する設定となっている場合は、ステップＳ１４０６に進み、他の出力トレーに排紙トレーを変更する。また、印刷用紙の排紙トレーは、フィニッシャの処理トレーに変更する。続いてステップＳ１４０７に進み、原稿の読み取り処理を行う。このステップＳ１４０７は、ステップＳ１４０３と同じ処理である。ただし原稿排紙する出力トレーは、変更された出力トレーである。続いて、ステップＳ１４０８に進み、印刷処理を行う。ステップＳ１４０８はステップＳ１４０４の処理と同じ処理である。印刷が終了するとステップＳ１４０９に進み、ステイプル処理を行う。
【００９９】
また、ステップＳ１４０２において、原稿をフィニッシング処理する設定がされている場合は、ステップＳ１４１０に進み、原稿のみのフィニッシングか否かを判断する、原稿のみではなく、出力すべてに対してフィニッシング処理を行う場合は、ステップＳ１４１１に進む。原稿排紙トレーがフィニッシャか否かを判断する。原稿排紙トレーがフィニッシャ以外の場合は、ステップＳ１４１２に進み、原稿排紙トレーをフィニッシャに変更する。また、印刷用紙排出トレーもフィニッシャに変更する。続いてステップＳ１４１３に進み、原稿の読み取りを行う。ステップＳ１４１３は、ステップＳ１４０３と同じ処理である。原稿が読み取り終わると、ステップＳ１４１４に進み、原稿のステイプル処理を行う。この後、ステップＳ１４１５に進み、印刷処理を行い、ステップＳ１４１６に進み、ステイプル処理をして動作を終了する。
【０１００】
キー１５０６が押下された場合は、ステップＳ１４１０において、原稿のみのフィニッシング処理と判断する。そしてステップＳ１４１７に進み、原稿排紙トレーがフィニッシャかどうかを判断する。出力トレーが、フィニッシャでない場合は、ステップＳ１４１８に進み、原稿排紙トレーをフィニッシャに変更する。
【０１０１】
次いで、テップＳ１４１９に進み、原稿読み取り処理を行い、ステップＳ１４２０に進み、原稿のステイプル処理を行い動作を終了する。
【０１０２】
以上、フィニッシャにおけるステイプル処理に関して説明したが、これに限定するものでは無く、フィニッシャ３が有する能力・機能に関するものであれば、この動作を行う。
【０１０３】
【発明の効果】
以上説明したように、本発明によれば、原稿、記録紙の搬送パスを同一にすることで安価に読み取り装置を提供するとともに、コピー動作も可能となる。
【０１０４】
この印字装置では、原稿を搬送する場合に原稿であることを判断し、印字機能を動作させないように制御し、原稿をいためること無く画像を読み取り、その読み取った画像を記録紙に印字する事によりコピー動作を可能としている。
【０１０５】
原稿読み取り時は、印刷に係る動作を停止することにより、原稿に破損、汚れ等を与えること無く原稿を読み取ることが可能となり、また両面原稿の読み取りも、印字装置に両面制御が可能であるならば、特別な装置を設置すること無く、読み取り動作を行うことが可能となる。
【０１０６】
さらに、印字装置は給紙段に積載可能な記録紙が３５００枚を有するものが発明されており、これに原稿を積載すれば、大量枚数を一度に読み取れる、大量枚数読み取り装置が実現できる。
【０１０７】
また、現在はステイプルされた原稿をコピーするときは、一旦ステイプルの針を外してコピーを取り、その後原稿だけをステイプルする必要があるが、本発明によれば、一旦ステイプルの針を外し原稿をセットし、コピーを実行すると、原稿も同時にステイプルすることが可能となる。またステイプル以外のフィニッシング機能も同様に実現することが可能となる。
【図面の簡単な説明】
【図１】本実施例の要部構成を示す画像形成装置としての印字装置の模式的断面図
【図２】リーダ部（光学ユニット）１の信号処理の回路構成を示すブロック図
【図３】画像メモリ１２０に係る構成例を示すブロック図
【図４】本実施例における操作部１２３の詳細を示す正面図
【図５】画像の記憶方法及び読み出し方法の説明図
【図６】画像メモリの説明図
【図７】図１の基本構成に、フィニッシャ３と転写紙積載部２９０、２９１が追加された構成を示す模式的断面図
【図８】原稿カセット設定のための説明図
【図９】インターフェイス部６の構成を示すブロック図
【図１０】フォーマッタ部７の構成を示すブロック図
【図１１】コピー設定時の説明図
【図１２】実施例１におけるコピー動作を示すフローチャート
【図１３】実施例２におけるコピー部数が２の場合についてのコピー動作を示すフローチャート
【図１４】実施例３におけるフィニッシャを接続した場合の動作手順を示すフローチャート
【図１５】フィニッシャにおけるステイプル設定時の説明図
【符号の説明】
１  リーダ部（光学ユニット、画像読み取り部、画像入力装置）
２  プリンタ部（画像記録部）
３  フィニッシャ
６  インターフェイス部
７  フォーマッタ部
１０３  原稿照明ランプ
１０５、１０６  ミラー
１０７  レンズ
１０８  ＣＣＤ
１１０  記録紙先端センサー
１１１  Ａ／Ｄ変換器
１１２  シェーディング回路
１１３  Ｙ信号生成・色検出回路
１１４  変倍・リピート回路
１１５  輪郭・エッジ強調回路
１１６  マーカエリア判定・輪郭生成回路
１１７  パターン化・太らせ・マスキング・トリミング回路
１１８  画像データセレクタ回路
１１９  レーザードライバ
１２０  画像メモリ
１２２  ＣＰＵ
１２３  操作部
１２４  ＲＯＭ
１２５  ＲＡＭ
２０１  露光ユニット
２０２  感光体
２０３  現像器
２０４、２０５、２９０、２９１  転写紙積載部
２０７  定着部
３０２  ステイプルユニット
３０５  排紙積載ユニット
４３８  液晶表示部
【図１】
2004187138.tif 000003
【図２】
2004187138.tif 000004
【図３】
2004187138.tif 000005
【図４】
2004187138.tif 000006
【図５】
2004187138.tif 000007
【図６】
2004187138.tif 000008
【図７】
2004187138.tif 000009
【図８】
2004187138.tif 000010
【図９】
2004187138.tif 000011
【図１０】
2004187138.tif 000012
【図１１】
2004187138.tif 000013
【図１２】
2004187138.tif 000014
【図１３】
2004187138.tif 000015
【図１４】
2004187138.tif 000016
【図１５】
2004187138.tif 000017